(57)【要約】【課題】本発明は、載置台が配置室に収納された時、載置台における手の位置が適正位置からずれないようにすることができる樹脂硬化装置を得る。【解決手段】本発明の樹脂硬化装置１は、被施術者の被照射対象部位を挿入する挿入口２及び該挿入口２から挿入された前記被照射対象部位を配置する配置室３を形成した配置室形成部材４であって、配置室３に収納される収納位置と、配置室３から外部に引き出される引き出し位置との間で移動可能に設けられた載置台４１を含む配置室形成部材４と、配置室３にパルス光を発する発光部５と、配置室形成部材４及び発光部５を覆う外装体６と、載置台４１に連動する移動部材１０と、移動部材１０に作動的に接続された操作部材１１であって、外装体６の外部に配置された操作部１１ａを有する操作部材１１とを備える。【選択図】図３
2015192710.tif 000002
【特許請求の範囲】
【請求項１】
被施術者の被照射対象部位を挿入する挿入口及び該挿入口から挿入された前記被照射対象部位を配置する配置室を形成した配置室形成部材であって、配置室に収納される収納位置と、配置室から外部に引き出される引き出し位置との間で移動可能に設けられた載置台を含む配置室形成部材と、
配置室に光を発する発光部と、
配置室形成部材及び発光部を覆う外装体と、
載置台に連動する移動部材と、
該移動部材に作動的に接続された操作部材であって、外装体の外部に配置された操作部を有する操作部材と
を備えることを特徴とする樹脂硬化装置。
【請求項２】
収納位置及び引き出し位置のうち、少なくとも収納位置において、移動部材の移動を規制するロック機構を備えることを特徴とする請求項１に記載の樹脂硬化装置。
【請求項３】
ロック機構は、
収納位置に対応した位置に形成された第一位置決め溝と、引き出し位置に対応した位置に形成された第二位置決め溝と、第一位置決め溝と第二位置決め溝とを繋ぐ案内溝であって、第一位置決め溝及び第二位置決め溝の位置よりも幅狭の案内溝とを有する案内部材と、
移動部材に連結された係止体であって、第一位置決め溝、第二位置決め溝、及び案内溝に沿って移動可能な係止体と
を備えることを特徴とする請求項２に記載の樹脂硬化装置。
【請求項４】
操作部材は、押圧されることで移動部材に作動的に接続されるとともに、操作部材に対する押圧によって、移動部材が弾性変形して係止体が案内溝から第一位置決め溝、又は、案内溝から第二位置決め溝に位置変更するように構成されることを特徴とする請求項１乃至３のいずれか１項に記載の樹脂硬化装置。
【請求項５】
移動部材と操作部材とを作動的に接続する伝達機構をさらに備え、
移動部材は、載置台に連結される第一ラックであって、該載置台の移動方向に沿って配置された第一ラックであり、
伝達機構は、操作部材に接続された第二ラックであって、第一ラックに平行に設けられた第二ラックと、第一ラック及び第二ラックの間に介設されたピニオンであって、第一ラック及び第二ラックを相対移動させるピニオンと
を備えることを特徴とする請求項１又は２に記載の樹脂硬化装置。
【発明の詳細な説明】
【技術分野】
【０００１】
本発明は、手や足の爪に塗布された光硬化樹脂に光を照射することによって該光硬化樹脂を硬化させる樹脂硬化装置に関する。
【背景技術】
【０００２】
従来から、手や足の爪を装飾するために、ネイルチップやスカルプチュアなどの付け爪を自爪に貼り付けることが一般的に行われている。また、付け爪には、ウレタンアクリル樹脂などを主成分とするジェルを利用して人工爪を形成するジェルネイルがある。ジェルは、光硬化樹脂の一種であり、紫外線領域の特定波長の光が照射されることで硬化して人工爪となる。このため、ジェルネイルでは、ジェルを硬化させるための樹脂硬化装置が必要となる（例えば、特許文献１）。
【０００３】
該樹脂硬化装置は、被施術者の被照射対象部位（手や足）を挿入する挿入口及び該挿入口から挿入された前記被照射対象部位を配置する配置室を形成した配置室形成部材と、配置室に光を発する発光部と、配置室形成部材及び発光部を覆う外装体とを備える。
【０００４】
そして、配置室形成部材は、挿入口に対して出し入れ可能な載置台を備え、該載置台は、載置台に載せられた手によって、配置室に収納される収納位置と、配置室から外部に引き出される引き出し位置との間で移動可能に設けられる。
【先行技術文献】
【特許文献】
【０００５】
【特許文献１】特開２０１３−２４８０３４号公報
【発明の概要】
【発明が解決しようとする課題】
【０００６】
ところで、前記樹脂硬化装置においては、指先の樹脂に対する照射が十分に行われるためには、載置台の適正な位置に手を載せることが重要となる。
【０００７】
しかしながら、前記樹脂硬化装置の場合、載置台に載せられた手によって、挿入口から配置室に向かって押し入れるため、押し入れる方向に手の力が作用することになり、載置台における適正位置から手の位置がずれる場合がある。
【０００８】
したがって、発光部による指先の樹脂に対する照射が不十分になり、指先の樹脂の硬化が不十分になることがある。
【０００９】
さらに、上記樹脂硬化装置は、載置台の状態から、該載置台の位置を確認しなければならない。このため、施術者と被施術者とが装置を挟んで対面して使用される店舗（ネイルサロン）において、施術者は、配置室における手の位置が適正な位置からずれた状態であるか否かを確認し難いといった問題がある。
【００１０】
そこで、本発明は、上記問題点に鑑み、載置台が配置室形成部材の配置室に収納された時、載置台における手の位置が適正位置からずれることがなく、配置室における手の位置が適正な位置であるか否かを確認できる樹脂硬化装置を提供することを課題とする。
【課題を解決するための手段】
【００１１】
本発明に係る樹脂硬化装置は、被施術者の被照射対象部位を挿入する挿入口及び該挿入口から挿入された前記被照射対象部位を配置する配置室を形成した配置室形成部材であって、配置室に収納される収納位置と、配置室から外部に引き出される引き出し位置との間で移動可能に設けられた載置台を含む配置室形成部材と、配置室に光を発する発光部と、配置室形成部材及び発光部を覆う外装体とを備え、配置室形成部材は、載置台に連動する移動部材と、該移動部材に作動的に接続された操作部材であって、外装体の外部に配置された操作部を有する操作部材とを備えることを特徴とする。
【００１２】
かかる構成によれば、外装体の外部に配置された操作部が外部から操作されることで、操作部材が移動部材に作動的に接続されて、操作部材の移動に伴って移動部材も移動する。この移動部材は載置台に連動するため、載置台を移動したい方向に操作部材を操作することで、載置台が所望の移動方向に移動できるようになる。このため、従来のように、載置台に載せられた手によって、載置台が配置室に押し入れる力は不要になり、載置台における適正位置から手の位置がずれることがない。したがって、指先の樹脂に対して発光部からの照射が十分に行われ、指先の樹脂が確実に硬化される。
【００１３】
また、施術者と被施術者とが装置を挟んで対面して使用される店舗（ネイルサロン）において、施術者は、配置室における手の位置が適正な位置であるか否かを、操作部の状態（位置）から簡単に把握できる。
【００１４】
また、本発明に係る樹脂硬化装置の一態様として、収納位置及び引き出し位置のうち、少なくとも収納位置で、移動部材の移動を規制するロック機構を備えることが好ましい。
【００１５】
かかる構成によれば、ロック機構によって、移動部材が収納位置及び引き出し位置のうち、少なくとも収納位置で移動が規制されるため、配置室形成部材の適正位置に載置台が位置決めできるようになる。
【００１６】
また、本発明に係る樹脂硬化装置の他態様として、ロック機構は、収納位置に対応した位置に形成された第一位置決め溝と、引き出し位置に対応した位置に形成された第二位置決め溝と、第一位置決め溝と第二位置決め溝とを繋ぐ案内溝であって、第一位置決め溝及び第二位置決め溝の位置よりも幅狭の案内溝とを有する案内部材と、移動部材に連結された係止体であって、第一位置決め溝、第二位置決め溝、及び案内溝に沿って移動可能な係止体とを備えることが好ましい。
【００１７】
かかる構成によれば、移動部材の係止体が案内溝に沿って移動できるようになる。また、第一位置決め溝及び第二位置決め溝のそれぞれに、案内溝から離脱した係止体が入ると、収納位置及び引き出し位置に対する載置台の位置決めが可能となる。また、移動部材の係止体が案内溝に係止して移動するため、載置台が移動中に案内溝から外れることがない。
【００１８】
また、本発明によれば、操作部材は、押圧されることで移動部材に作動的に接続されるとともに、操作部材に対する押圧によって、移動部材が弾性変形して係止体が案内溝から第一位置決め溝、又は、案内溝から第二位置決め溝に位置変更するように構成されることが好ましい。
【００１９】
かかる構成によれば、操作部材が押圧されることで、操作部材と移動部材が作動的に接続される。具体的には、操作部が押圧によって弾性変形し、係止体が案内溝に沿って移動できるようになる。そして、係止体は、案内溝から第一位置決め溝に、又は、案内溝から第二位置決め溝に位置変更できる。
【００２０】
また、本発明によれば、移動部材と操作部材とを作動的に接続する伝達機構をさらに備え、移動部材は、載置台に連結される第一ラックであって、該載置台の移動方向に沿って配置された第一ラックであり、伝達機構は、操作部材に接続された第二ラックであって、第一ラックに平行に設けられた第二ラックと、第一ラック及び第二ラックの間に介設されたピニオンであって、第一ラック及び第二ラックを相対移動させるピニオンとを備えることが好ましい。
【００２１】
前記構成の樹脂硬化装置によれば、載置台が配置室に収納された状態では、第一ラックは外装体の配置室とは反対側に位置し、第二ラックは配置室側に位置する。この状態から、操作部材によって第二ラックが配置室とは反対側に移動されると、第一ラックが配置室側に移動する。この移動に伴って、載置台が挿入口から引き出された状態になる。そして、引き出された載置台に被施術者の手が載せられると、操作部材によって第二ラックが配置室側に移動される。この移動に伴って、第一ラックが装置の配置室とは反対側に移動し、外装体が載置台側に移動されて、載置台に覆い被さるようになり、外装体のさらなる移動で、載置台が配置室に収容される。
【００２２】
したがって、載置台に載せた手の位置が適正位置からずれることなく、操作部材の位置によって、配置室に対する載置台の位置が適正位置であることを外部から確認できる。
また、ピニオンの径や、ピニオン及び各ラックの歯のピッチ等を調整することで、外装体を小さな力で迅速に移動させることができる。
【発明の効果】
【００２３】
本発明によれば、載置台が配置室形成部材の配置室に収納された時、載置台における手の位置が適正位置からずれることがなく、配置室における手の位置が適正な位置であるか否かを確認できる樹脂硬化装置を提供することができる。
【図面の簡単な説明】
【００２４】
【図１】本発明の第一実施形態に係る樹脂硬化装置の斜視図
【図２】樹脂硬化装置の内部を説明するための概略縦断面図
【図３】本発明の第一実施形態に係る樹脂硬化装置の要部を示す斜視図
【図４】ロック機構の動作を説明するための概略図
【図５】本発明の第二実施形態に係る樹脂硬化装置の要部を示す斜視図であり、載置台が配置室に収納された状態を示す図。
【図６】本発明の第二実施形態に係る樹脂硬化装置の要部を示す斜視図であり、載置台が挿入口から引き出された状態を示す図。
【発明を実施するための形態】
【００２５】
以下、本発明の実施形態に係る樹脂硬化装置について、図１〜図６を参酌しつつ説明する。なお、図１，図２，図３，図５，図６においては、挿入口２が形成された外装体６の壁面を正面とし、挿入口２に対して被施術者の被照射対象部位が挿脱される方向を、樹脂硬化装置１の前後方向とし、前記挿脱される方向に対して直交する方向を樹脂硬化装置１の左右方向とする。
（第一実施形態）
まず、本発明の第一実施形態について、図１〜図４を参酌しつつ説明する。第一実施形態に係る樹脂硬化装置１は、指先の爪に塗布された光硬化樹脂にパルス光を照射して、光硬化樹脂を硬化させる装置である。樹脂硬化装置１は、図１及び図２に示す如く、被施術者の被照射対象部位を挿入する挿入口２及び該挿入口２から挿入された前記被照射対象部位を配置する配置室３を形成した配置室形成部材４と、配置室３にパルス光を発する発光部５と、配置室形成部材４及び発光部５を覆う外装体６とを備える。
【００２６】
前記被照射対象部位は、少なくとも光硬化樹脂が塗布された領域を含む部位である。本実施形態に係る被施術者の被照射対象部位は、手や足の指先である（以下、被照射対象部位のことを、単に、「指先」とも称する）。
【００２７】
配置室形成部材４は、上方を仕切る隔壁部材４０と、下面を構成する載置台４１とを含み、隔壁部材４０と載置台４１とで配置室３が画定される。
【００２８】
隔壁部材４０は、図３に示す如く、天壁４０ａと、該天壁４０ａの両端から内側に向けて折り曲げられた左右の側壁４０ｂ，４０ｂと、天壁４０ａ、及び左右の側壁４０ｂ，４０ｂとで形成された後側の開口を覆う後壁４０ｃとを備える。そして、隔壁部材４０の天壁４０ａ、及び左右の側壁４０ｂ，４０ｂとで画定された前側の開口部が、後述する載置台４１の挿入口２となっている。また、天壁４０ａ、左右の側壁４０ｂ，４０ｂ、及び後壁４０ｃで形成された空間に、載置台４１が収納できるようになっている。また、左右の側壁４０ｂ，４０ｂのそれぞれは、表面に当たった光を指先に反射させるために、表面に反射面を有する。具体的には、一対の側壁４０ｂ，４０ｂ及び後壁４０ｃのそれぞれは、表面に反射部材を備える。天壁４０ａには、発光部５が発するパルス光を通過させる開口が形成される（図示せず）。
【００２９】
載置台４１は、挿入口２に対して出し入れ可能であって、配置室３に収納される収納位置と、配置室３から外部に引き出される引き出し位置との間で移動可能に設けられる。この載置台４１は、前後及び左右方向に広がる平面視、略矩形の板部材であり、この板部材の上に手（被施術者の被照射対象部位）が載置される。この載置台４１は、発光部５に対向する面に配置された載置面４１０を有する。この載置面４１０は、光沢を有する。具体的には、載置面４１０は、鏡面仕上げされている。
【００３０】
載置台４１には、左右に一対の内壁４１ａ，４１ａが立設される。そして、配置室形成部材４内に載置台４１を収納した状態においては、隔壁部材４０の一対の側壁４０ｂ，４０ｂと、載置台４１の一対の内壁４１ａ，４１ａとの二重壁の構造になるようになっている。また、一対の内壁４１ａ，４１ａのそれぞれは、表面に当たった光を指先に反射させるために、表面に反射面を有する。そして、載置台４１に被施術者の手が載置された状態では、手の指先に一対の内壁４１ａ，４１ａが当たらないようになっている。
【００３１】
載置台４１は、外装体６から取り外すことができるように取り付けられる。樹脂硬化装置１では、載置台４１の着脱によって、被施術者の被照射対象部位の配置スペース（配置領域）の大きさを変更できる。即ち、本実施形態の樹脂硬化装置１では、載置台４１を取り外すことにより、配置スペースを大きくして、足を挿入できるようになる。また、載置台４１を取り付けることにより、配置スペースを小さくして、手を挿入できるようにすることができる。
【００３２】
発光部５は、フラッシュランプ（図示せず）と、反射傘５０とを備える。さらに、反射傘５０の下方には、上述した隔壁部材４０の天壁４０ａの開口に取り付けられた保護ガラス５１と、該保護ガラス５１上に配置された波長制限フィルタ５２とが設けられる。そして、上述した隔壁部材４０の天壁４０ａの開口から、発光部５が発するパルス光が通過する。
【００３３】
外装体６は、上壁６ａと、上壁６ａの前後に配置された前壁６ｂ及び後壁６ｃと、上壁６ａの左右に配置された一対の側壁６ｄ，６ｄとを備える。
【００３４】
前壁６ｂには、配置室形成部材４とともに、挿入口２を画定する開口が形成される。この挿入口２は、載置された手の指先が一対の内壁４１ａ，４１ａに当たらない大きさの載置台４１を通過させることができる大きさに形成される。
【００３５】
一対の側壁６ｄ，６ｄのうち、少なくとも一方の側壁６ｄには、上述した操作部材１１が遊挿される移動溝６０が、載置台４１の移動方向に沿って形成されている。この移動溝６０は、載置台４１が収納位置と引き出し位置とを移動できる長さを有している。
【００３６】
また、樹脂硬化装置１は、載置台４１に連動する移動部材１０と、移動部材１０に作動的に接続された操作部材１１と、収納位置及び引き出し位置のうち、少なくとも収納位置において、移動部材１０の移動を規制するロック機構１３とを備え、さらに、樹脂硬化装置１は、制御部７と、入力・表示部８とを備える。
【００３７】
制御部７は、入力・表示部８からの入力に基づいて発光部５による光の照射を制御する。
【００３８】
入力・表示部８は、制御部７への入力及び表示等を行う。この入力・表示部８は、各種のスイッチや、表示ランプ等を備える。
【００３９】
移動部材１０は、操作部材１１の押圧によって弾性変形する環状の本体部１０ａを備える。この本体部１０ａに後述する係止体１２が連結される。
【００４０】
操作部材１１は、外装体６の外部に配置された操作部１１ａを有する。この操作部１１ａは、後述する外装体６の移動溝６０に遊挿されて、移動溝６０に沿って移動可能になっている。
【００４１】
なお、移動部材１０に操作部材１１が作動的に接続されるとは、操作部１１ａが押圧されると、移動部材１０が弾性変形して、操作部材１１と移動部材１０とが接続されて、操作部材１１と移動部材１０と、移動部材１０に連結された係止体１２が一体的に動くようになることを意味する。すなわち、係止体１２が第一位置決め溝１４ａから案内溝１４ｃに移動して、位置変更される、又は、係止体１２が第二位置決め溝１４ｂの位置から案内溝１４ｃに移動して、位置変更される。これによって、操作部材１１が移動溝６０に沿って移動できるようになる。つまり、操作部材１１を移動溝６０に沿って操作することで、載置台４１が挿入口２に対して出し入れされることになる。
【００４２】
ロック機構１３は、収納位置に対応した位置に形成された第一位置決め溝１４ａと、引き出し位置に対応した位置に形成された第二位置決め溝１４ｂと、第一位置決め溝１４ａと第二位置決め溝１４ｂとを繋ぐ案内溝１４ｃとを有する案内部材１４と、第一位置決め溝１４ａ、第二位置決め溝１４ｂ、及び案内溝１４ｃにそれぞれ係止可能な係止体１２とを備える。なお、案内溝１４ｃは、第一位置決め溝１４ａ及び第二位置決め溝１４ｂよりも幅が狭くなっている。
【００４３】
案内部材１４は、外装体６の一対の側壁６ｄ，６ｄのうち、少なくとも一方の側壁６ｄの下端部に配置されている。
【００４４】
係止体１２は、図３に示す如く、載置台４１の移動方向に対して鉛直方向に配置されるとともに、載置台４１に接続されている。そして、係止体１２は、図４に示す如く、案内溝１４ｃにおいて、本体部１０ａが押圧されることで、案内溝１４ｃに沿って移動できるように構成されている。また、係止体１２は、操作部材１１が押圧されることによって、案内溝１４ｃから第一位置決め溝１４ａに、又は、案内溝１４ｃから第二位置決め溝１４ｂに位置変更し、本体部１０ａの案内溝１４ｃに対する係止が解除され、第一位置決め溝１４ａ及び第二位置決め溝１４ｂに位置するようになる。
【００４５】
つぎに第一実施形態に係る樹脂硬化装置１の使用態様について説明する。ここで、施術者と被施術者とが樹脂硬化装置１を挟んで対面しているものとする。具体的には、施術者が樹脂硬化装置１の後側に位置し、被被施術者が樹脂硬化装置１の前側に位置する。また、施術者の各指の爪には、ジェルネイル等の光硬化樹脂を塗布されているものとする。また、載置台４１は配置室３（収納位置）に収納され、移動部材１０が第一位置決め溝１４ａに位置した状態になっているものとする。
【００４６】
この状態において、図１に示す如く、施術者によって、操作部材１１の操作部１１ａが押圧されて、移動部材１０が弾性変形して、操作部材１１と移動部材１０とが接続されて、操作部材１１と移動部材１０と、移動部材１０に連結された係止体１２が一体的に動くようになる。すなわち、係止体１２が第一位置決め溝１４ａから案内溝１４ｃに移動されて、位置変更される。
【００４７】
そして、係止体１２が案内溝１４ｃに位置変更されることによって、操作部材１１が移動溝６０に沿って移動できるようになる。この際、係止体１２が案内溝１４ｃの内壁に当たっているため、載置台４１が移動中に案内溝１４ｃから外れることがない。
【００４８】
そして、係止体１２が案内溝１４ｃを移動して第二位置決め溝１４ｂに位置すると、移動部材１０の本体部１０ａが元の状態に復帰して、操作部材１１と移動部材１０との接続が解除されて、第二位置決め溝１４ｂに位置決めされる。この際、載置台４１は、引き出し位置に位置することになる。
【００４９】
つぎに被施術者の手が載置台４１に載せられると、施術者によって、操作部材１１の操作部１１ａが押圧され、操作部材１１と移動部材１０とが接続されて、操作部材１１と移動部材１０と係止体１２とが一体的に動くようになり、係止体１２が第二位置決め溝１４ｂの内壁から離脱する。そして、操作部材１１の操作部１１ａを押圧した状態のまま収納方向に移動させると、係止体１２が第二位置決め溝１４ｂから案内溝１４ｃに移動し、さらなる収納方向への移動によって、係止体１２が案内溝１４ｃから第一位置決め溝１４ａに移動する。そうすることで、引き出された載置台４１が配置室３に収納される。すなわち、載置台４１は、収納位置に位置することになる。
【００５０】
この場合、被施術者は、載置台４１の適正位置に手を載せるだけで、載置台４１の移動操作は被施術者が行っているため、載置台４１における手の位置は適正位置にあることが確保される。また、載置台４１の収納位置が適正位置であるか否かは、操作部材１１操作部１１ａの位置を外部から目視することで簡単に把握できる。
【００５１】
そして、被照射部位が配置室３に配置された状態で、入力・表示部８のスイッチ等が操作されて、発光部５から光が被照射部位に対して複数の方向から照射される。これにより、光硬化樹脂がきれいに硬化することになる。
【００５２】
このように、本実施形態の樹脂硬化装置によれば、操作部材１１の外部からの操作によって、載置台４１が移動できるようになる。このため、従来のように、載置台４１に載せた被施術者の手によって、載置台４１が配置室３に押し入れる力は不要になり、載置台４１における適正位置から手の位置がずれることがない。したがって、指先の樹脂に対して発光部５からの照射が十分に行われ、指先の樹脂が確実に硬化される。
（第二実施形態）
つぎに第二実施形態に係る樹脂硬化装置について図５及び図６を参照して説明する。該樹脂硬化装置は、移動部材１５と操作部材１１とを作動的に接続する伝達機構１６を備える。
【００５３】
なお、移動部材と操作部材とが伝達機構によって作動的に接続されるとは、操作部材が移動方向に操作されることで、第一ラックと第二ラックとがピニオンを介して互いに異なる方向に移動することを意味する。
【００５４】
移動部材１５は、載置台４１の端部に嵌着され、該載置台４１の移動とともに移動する第一ラックである。そして、第一ラック１５は、載置台４１が引き出された状態では外装体６の前側（配置室３側）に位置し、載置台４１が収納された状態では外装体６の奥側（配置室３とは反対側）に位置する。
【００５５】
伝達機構１６は、第一ラック１５に平行するように配置された第二ラック１６ａと、第一ラック１５及び第二ラック１６ａを相対移動させるべく、第一ラック１５及び第二ラック１６ａの間に介設されたピニオン１６ｂとを備える。また、第二ラック１６ａの挿入口２側の端部は、外装体６の移動溝６０に遊挿された操作部材１１に接続され、移動溝６０に対する操作部材１１の移動とともに、第二ラック１６ａが移動溝６０に沿って移動するようになっている。また、第一ラック１５と第二ラック１６ａは、載置台４１が収納位置と引き出し位置とを移動できる長さを有している。
【００５６】
そして、図５に示す如く、載置台４１が配置室３に収納された状態では、移動溝６０において、操作部材１１が挿入口２側に位置し、第二ラック１６ａが外装体６の前側（配置室３側）に位置し、挿入口２とは反対側にある第二ラック１６ａの端部にピニオン１６ｂが位置する。一方、第一ラック１５が外装体６の奥側（配置室３とは反対側）に位置し、挿入口２側にある第一ラック１５の端部にピニオン１６ｂが位置する。
【００５７】
また、図６に示す如く、載置台４１が配置室３から引き出された状態では、移動溝６０において、操作部材１１が挿入口２側とは反対側に位置し、第二ラック１６ａが外装体６の奥側（配置室３とは反対側）に位置し、第二ラック１６ａの挿入口２側の端部にピニオン１６ｂが位置する。一方、第一ラック１５が外装体６の前側（配置室３側）に位置し、挿入口２とは反対側にある第一ラック１５の端部にピニオン１６ｂが位置する。
【００５８】
そして、ピニオン１６ｂが、第一ラック１５の両端部、及び第二ラック１６ａの両端部にそれぞれ位置したとき、載置台４１の移動が規制される（ロックされる）ように構成されている。
【００５９】
つぎに第二実施形態に係る樹脂硬化装置の使用態様について説明する。まず、図５に示す如く、載置台４１が配置室３に収納された状態では、操作部材１１が移動溝６０の挿入口２側に位置し、第二ラック１６ａが外装体６の前側（配置室３側）に位置し、挿入口２とは反対側にある第二ラック１６ａの端部にピニオン１６ｂが位置する。一方、第一ラック１５が外装体６の奥側（配置室３とは反対側）に位置し、挿入口２側にある第一ラック１５の端部にピニオン１６ｂが位置する。
【００６０】
この状態から、操作部材１１の操作部１１ａを挿入口２とは反対側に移動させると、第一ラック１５と第二ラック１６ａとがピニオン１６ｂを介して互いに異なる方向に移動する。すなわち、第二ラック１６ａが外装体６の奥側（配置室３とは反対側）に移動することに伴って、第一ラック１５が外装体６の前側（配置室３側）に移動し、挿入口２から載置台４１が引き出される（図６参照）。
【００６１】
つぎに被被施術者の手が、引き出された載置台４１に載せられると、施術者によって、操作部材１１が移動溝６０の挿入口２側に移動され、第二ラック１６ａが外装体６の前側（配置室３側）に移動し、第一ラック１５が外装体６の奥側（配置室３とは反対側）に移動する。
【００６２】
これによって、相対移動により、外装体（配置室形成部材４）６が載置台４１側に移動されて、外装体（配置室形成部材４）６が載置台４１に覆い被さるようになり、外装体（配置室形成部材４）６のさらなる移動で、載置台４１が配置室３に収容される（図５参照）。
【００６３】
以上のように、第二実施形態に係る樹脂硬化装置によれば、載置台４１に、該載置台４１の移動方向に沿って配置された第一ラック１５を連結し、操作部材１１に、第一ラック１５に平行に設けられた第二ラック１６ａを接続し、第一ラック１５及び第二ラック１６ａの間にピニオン１６ｂを介設して、第一ラック１５及び第二ラック１６ａが互いに異なる方向に相対移動するようにしたので、被施術者が、載置台４１の適正位置に手を載せるだけで、施術者によって載置台４１が移動されるため、載置台４１における手の位置が適正位置にあることを確保することができる。
また、載置台４１の収納位置が適正位置であるか否かの判断も、操作部材１１の位置を外部から目視することにより簡単に行える。
【００６４】
尚、本発明の樹脂硬化装置は、上記実施形態に限定されるものではなく、本発明の要旨を逸脱しない範囲内において種々変更を加え得ることは勿論である。
【００６５】
例えば、第一の実施形態においては、操作部１１ａが押圧されると、移動部材１０が弾性変形して、操作部材１１と移動部材１０とが接続される例で説明したが、操作部材１１と移動部材１０とが一体の部材として形成されていてもよい。
【００６６】
また、係止体１２はあらかじめ載置台４１に接続されている例で説明したが、操作部１１ａが押圧されると、移動部材１０が弾性変形して、係止体１２が載置台４１に接続される構成でもよい
さらにピニオン１６ｂの径や、ピニオン及び各ラックの歯のピッチ等を調整することで、外装体を小さな力で迅速に移動させることができる。
【産業上の利用可能性】
【００６７】
本発明の樹脂硬化装置は、載置台を外部から操作できるようにすることで、施術者が、配置室内の被施術者の手の位置が適正な位置であるか否かを、操作部の状態から簡単に把握できる用途に適用することができる。
【符号の説明】
【００６８】
１    樹脂硬化装置
２    挿入口
３    配置室
４    配置室形成部材
４０    隔壁部材
４１    載置台
５    発光部
６    外装体
１０    移動部材
１１    操作部材
１１ａ  操作部
１２    係止体
１３    ロック機構
１４    案内部材
１４ａ  第一位置決め溝
１４ｂ  第二位置決め溝
１４ｃ  案内溝
１５    移動部材（第一ラック）
１６    伝達機構
１６ａ  第二ラック
１６ｂ  ピニオン
【図１】
2015192710.tif 000003
【図２】
2015192710.tif 000004
【図３】
2015192710.tif 000005
【図４】
2015192710.tif 000006
【図５】
2015192710.tif 000007
【図６】
2015192710.tif 000008